(57)【要約】【課題】放送データを取得して記録する記録再生装置であって、取得した放送データをより品質の高い放送データに置き換えることが可能な記録再生装置を提供する。【解決手段】本発明の記録再生装置は、記録部と、再生情報の記録処理を行う記録処理部と、放送波より再生情報を取得する放送受信部と、番組情報を取得する番組情報取得部とを備えている。また、記録処理部により記録された再生情報である第一再生情報の代替情報である第二再生情報を取得する代替情報取得部を備えている。代替情報取得部は、第一再生情報に付加されている文字情報を読み出し、この文字情報と一部または全部が一致する文字情報を持つ第二再生情報を、番組情報から検索する。そして検索に成功した場合に、この第二再生情報が含まれる放送波を受信するよう放送受信部を制御するとともに、放送波から抽出された第二再生情報を記録部に記録するよう、記録処理部を制御する。【選択図】図３
2012044585.tif 000002
【特許請求の範囲】
【請求項１】
画像または音声を含む再生情報を記録する記録部と、
前記記録部に対して再生情報の記録処理を行う記録処理部と、
放送波を受信して放送波に含まれる再生情報を取得する放送受信部と、
放送波より取得可能な再生情報の内容を示す番組情報を取得する番組情報取得部とを備えた記録再生装置において、
前記記録処理部により記録された再生情報である第一再生情報に付加されている文字情報を読み出し、前記文字情報と一部または全部が一致する文字情報が付加されている再生情報である第二再生情報が前記番組情報に示されているか否かを判定し、示されている場合に、前記番組情報に基づいて前記第二再生情報を放送波より取得して前記記録部へ記録するよう前記放送受信部及び前記記録処理部を制御する代替情報取得部を備えること
を特徴とする記録再生装置。
【請求項２】
前記代替情報取得部は、前記判定の結果において前記第二再生情報が前記番組情報に示されていない場合に、予め定められた周期で前記番組情報を取得するよう前記放送受信部を制御し、前記周期で前記番組情報から前記第二再生情報を検索し、前記検索により前記第二再生情報が検知された場合に、前記番組情報に基づいて前記第二再生情報を放送波より取得して前記記録部へ記録するよう前記放送受信部及び前記記録処理部を制御すること
を特徴とする請求項１に記載の記録再生装置。
【請求項３】
操作指示を受け付ける操作部と、
前記記録処理部により前記第一再生情報の記録処理が行われた場合に、前記第一再生情報に対して付加する文字情報の入力を前記操作部により受け付けて前記記録部に記録する設定部とを備えること
を特徴とする請求項２に記載の記録再生装置。
【請求項４】
前記代替情報取得部は、前記第二再生情報の取得が行われた場合に、前記第二再生情報の取得において前記判定に用いられた前記第一再生情報を前記記録部より消去すること
を特徴とする請求項３に記載の記録再生装置。
【請求項５】
前記設定部は、前記消去を実施するか否かに関する指定を前記入力部により受け付け、
前記代替情報取得部は、前記第二再生情報の取得が行われ、且つ前記消去を実施する指定が前記設定部により受け付けられている場合に、前記第二再生情報の取得において前記判定に用いられた前記第一再生情報を前記記録部より消去すること
を特徴とする請求項４に記載の記録再生装置。
【請求項６】
通信網に接続されて通信を行う通信部を備え、
前記番組情報取得部は、前記放送受信部により受信される放送波、または前記通信部により通信網を介して取得される情報から、前記番組情報を取得すること
を特徴とする請求項５に記載の記録再生装置。
【請求項７】
前記代替情報取得部は、前記記録処理部によりアナログ放送データの記録処理が行われた場合に、前記記録処理で記録されたアナログ放送データを前記第一再生情報とし、前記アナログ放送データに付加されている題名を読み出し、前記題名と一部または全部が一致する題名が付加されているデジタル放送データを前記第二再生情報とし、前記第二再生情報が前記番組情報に示されているか否かを判定すること
を特徴とする請求項６に記載の記録再生装置。
【発明の詳細な説明】
【技術分野】
【０００１】
本発明は、画像または音声の記録再生を実施可能な記録再生装置に関するものであり、特にデジタル放送の受信機能を備えた記録再生装置に関する。
【背景技術】
【０００２】
近年、テレビ等の画像装置において処理される画像や音声の記録再生を行うための装置として、ＶＣＲ（Video Cassette Recorder）、ＤＶＤ（Digital Versatile Disk）レコーダ、またはＨＤＤ（Hard Disk Drive）レコーダ等の記録再生装置が普及している。また、これら複数の記録再生装置を一装置にまとめた複合機も普及している。
【０００３】
代表的な複合機としては、例えばＨＤＤ内蔵ＤＶＤレコーダや、ＶＣＲ／ＤＶＤ／ＨＤＤ複合機等が存在する。これらの複合機は通常、録画データのやりとりを複数の記録再生装置間で行う機能、いわゆるダビング機能が備えられていることが多い。ダビング機能を用いることにより例えば、ＶＣＲがビデオカセットより読み出した録画データを、ＨＤＤレコーダに記録することが可能である。
【０００４】
しかしながら記録再生装置によって、扱うことのできる録画データの種別に差違がある。例えばＨＤＤレコーダはアナログ放送データとデジタル放送データとの両方を記録することができるが、ＶＣＲは通常、アナログ放送データしか記録することができない。もしＶＣＲでデジタル放送データを記録する場合、アナログ変換を行う必要がある。
【０００５】
またＶＣＲからＨＤＤレコーダへ放送データをダビングする場合、ＶＣＲから出力されるアナログ放送データをデジタル変換して、デジタルデータとしてＨＤＤレコーダに記録する。しかしながらアナログ放送データは、デジタル放送データと比較して解像度が低く、またノイズや画像の乱れが生じやすい。
【０００６】
従って上記のダビングにより生成されるデジタルデータは、通常のデジタル放送データと比較して画質が劣る。もしダビングにより生成されるデジタルデータを、デジタル放送データと同等の画質のデータに置き換えることができれば、ユーザはより快適に視聴を行うことが可能である。
【０００７】
上記に関連して特許文献１には、ある放送信号に対応した番組推薦情報を活用して、他の種類の放送信号によって放送されている放送番組の録画予約を実行することが可能な録画装置が開示されている。
【０００８】
この録画装置は、第一の種類の放送信号のチャンネルと、このチャンネルのサイマル放送を行っている第二の種類の放送信号のチャンネルとの関係を示すマッピング情報を記録する。そして録画対象の放送番組が選択された場合に、マッピング情報を参照し、選択された放送番組に対応するサイマル放送番組を放送している第二の種類の放送信号のチャンネルを判別し、サイマル放送番組の録画を予約する。
【０００９】
また上記問題に関連して特許文献２には、記録したコンテンツを一回のダビング処理で複数複製し、ユーザの負担を軽減する記録装置が開示されている。この記録装置は、外部から取得したコンテンツのデータを、内蔵または外付けされた第一の記録媒体にデジタル方式で記録する。
【００１０】
そしてリムーバブルな第二の記録媒体にデジタル方式で記録するとともに、リムーバブルな第三の記録媒体にアナログ方式で記録する。そして第一の記録媒体への記録終了後に、記録されたコンテンツのデータを第三の記録媒体にアナログ方式でダビングし、次に第二の記録媒体にデジタル方式でダビングする。
【先行技術文献】
【特許文献】
【００１１】
【特許文献１】特開２００８−３５２３７号公報
【特許文献２】特開２００８−９１９９２号公報
【発明の概要】
【発明が解決しようとする課題】
【００１２】
しかしながら上記の特許文献１及び特許文献２においては、放送内容が同じであるデジタル放送データとアナログ放送データとを、一または複数の記録媒体に記録または複製する技術については開示されているが、アナログ放送データをダビングしてデジタルデータを生成した場合に、このデジタルデータの画質を向上させる技術については開示も示唆もなされていない。
【００１３】
本発明の目的は、放送波や外部装置より放送データを取得して記録する機能を備えた記録再生装置であって、取得した放送データをより品質の高い放送データに置き換えることが可能な記録再生装置を提供することにある。
【課題を解決するための手段】
【００１４】
上記目的を達成するために本発明の記録再生装置は、画像または音声を含む再生情報を記録する記録部と、前記記録部に対して再生情報の記録処理を行う記録処理部と、放送波を受信して放送波に含まれる再生情報を取得する放送受信部と、放送波より取得可能な再生情報の内容を示す番組情報を取得する番組情報取得部とを備えた記録再生装置において、前記記録処理部により記録された再生情報である第一再生情報に付加されている文字情報を読み出し、前記文字情報と一部または全部が一致する文字情報が付加されている再生情報である第二再生情報が前記番組情報に示されているか否かを判定し、示されている場合に、前記番組情報に基づいて前記第二再生情報を放送波より取得して前記記録部へ記録するよう前記放送受信部及び前記記録処理部を制御する代替情報取得部を備えることを特徴としている。
【００１５】
これによると、本発明の記録再生装置は、再生情報を記録する記録部と、再生情報の記録処理を行う記録処理部と、放送波より再生情報を取得する放送受信部と、番組情報を取得する番組情報取得部とを備えている。また、記録処理部により記録された再生情報である第一再生情報の代替情報である第二再生情報を取得する代替情報取得部を備えている。代替情報取得部は、第一再生情報に付加されている文字情報を読み出し、この文字情報と一部または全部が一致する文字情報を持つ第二再生情報を、番組情報から検索する。そして検索に成功した場合に、この第二再生情報が含まれる放送波を受信するよう放送受信部を制御する。さらに放送波から抽出された第二再生情報を記録部に記録するよう、記録処理部を制御する。
【００１６】
また上記目的を達成するために本発明の記録再生装置が備える前記代替情報取得部は、前記判定の結果において前記第二再生情報が前記番組情報に示されていない場合に、予め定められた周期で前記番組情報を取得するよう前記放送受信部を制御し、前記周期で前記番組情報から前記第二再生情報を検索し、前記検索により前記第二再生情報が検知された場合に、前記番組情報に基づいて前記第二再生情報を放送波より取得して前記記録部へ記録するよう前記放送受信部及び前記記録処理部を制御することを特徴としている。
【００１７】
これによると、代替情報取得部は、番組情報を検索した結果、第二再生情報が番組情報に示されていない場合に、所定周期で番組情報を繰り返し取得し、第二再生情報を検索する。そして検索に成功した場合に、この第二再生情報が含まれる放送波を受信するよう放送受信部を制御する。そして放送波から抽出された第二再生情報を記録部に記録するよう、記録処理部を制御する。
【００１８】
また上記目的を達成するために本発明の記録再生装置は、操作指示を受け付ける操作部と、前記記録処理部により前記第一再生情報の記録処理が行われた場合に、前記第一再生情報に対して付加する文字情報の入力を前記操作部により受け付けて前記記録部に記録する設定部とを備えることを特徴としている。
【００１９】
これによると、本発明の記録再生装置は、操作部及び設定部を備えている。設定部は、記録処理部により第一再生情報の記録処理が行われた場合に、第一再生情報に対して付加する文字情報の入力を操作部によりユーザより受け付ける。そして受け付けた文字情報を記録部に記録する。
【００２０】
また上記目的を達成するために本発明の記録再生装置が備える前記代替情報取得部は、前記代替情報取得部は、前記第二再生情報の取得が行われた場合に、前記第二再生情報の取得において前記判定に用いられた前記第一再生情報を前記記録部より消去することを特徴としている。
【００２１】
これによると、代替情報取得部は、第二再生情報の記録が行われた場合に、第二再生情報の取得に用いられた第一再生情報、つまり文字情報の一部または全部が第二再生情報と一致すると判定された第一再生情報を、記録部より消去する。
【００２２】
また上記目的を達成するために本発明の記録再生装置が備える前記設定部は、前記設定部は、前記消去を実施するか否かに関する指定を前記入力部により受け付け、前記代替情報取得部は、前記第二再生情報の取得が行われ、且つ前記消去を実施する指定が前記設定部により受け付けられている場合に、前記第二再生情報の取得において前記判定に用いられた前記第一再生情報を前記記録部より消去することを特徴としている。
【００２３】
これによると、設定部は、上記の判定に用いられた第一再生情報、つまり文字情報の一部または全部が第二再生情報と一致すると判定された第一再生情報を記録部より消去するか否かに関する指定を、操作部を用いてユーザより受け付ける。代替情報取得部は、第二再生情報の記録が行われ、且つ設定部により第一再生情報の消去指示が受け付けられている場合に、上記の第一再生情報を記録部より消去する。
【００２４】
また上記目的を達成するために本発明の記録再生装置は、通信網に接続されて通信を行う通信部を備え、前記番組情報取得部は、前記放送受信部により受信される放送波、または前記通信部により通信網を介して取得される情報から、前記番組情報を取得することを特徴としている。
【００２５】
これによると、本発明の再生装置は、通信網に接続されて通信を行う通信部を備えている。番組情報取得部は、放送受信部により受信される放送波、または通信部により通信網を介して取得される情報から、番組情報を取得する。
【００２６】
また上記目的を達成するために本発明の記録再生装置が備える前記代替情報取得部は、前記記録処理部によりアナログ放送データの記録処理が行われた場合に、前記記録処理で記録されたアナログ放送データを前記第一再生情報とし、前記アナログ放送データに付加されている題名を読み出し、前記題名と一部または全部が一致する題名が付加されているデジタル放送データを前記第二再生情報とし、前記第二再生情報が前記番組情報に示されているか否かを判定することを特徴としている。
【００２７】
これによると、代替情報取得部は、記録処理部によりアナログ放送データの記録処理が行われた場合に、このアナログ放送データを上記の第一再生情報とみなす。そしてこのアナログ放送データと題名が一致するデジタル放送データを、上記の第二再生情報として番組情報より検索し、検索されたデジタル放送データの取得及び記録を試みる。
【発明の効果】
【００２８】
本発明によれば、記録再生装置に記録された第一再生情報と同内容と推定される第二再生情報を、題名等の文字情報に基づいて検索し、放送波より取得して記録する。このため例えば、記録再生装置に記録されたアナログ放送データを、同内容と推定されるデジタル放送データに置き換えることが可能である。これによりユーザは、放送データの手動検索及び録画予約を必要とすることなく、より高画質な放送データによる視聴が可能である。
【図面の簡単な説明】
【００２９】
【図１】本発明の記録再生装置の機能部の構成を示すブロック図である。
【図２】本発明の記録再生装置の内部構成を示すブロック図である。
【図３】本発明の第一の実施形態に係る代替録画処理を示すフロー図である。
【図４】本発明の第二の実施形態に係る代替録画処理を示すフロー図である。
【発明を実施するための形態】
【００３０】
以下に本発明の一実施形態を、図面を参照しつつ説明する。なお、ここで示す実施形態は一例であり、本発明はここに示す実施形態に限定されるものではない。
【００３１】
〈１．内部構成について〉
図２は、本発明の第一の実施形態に係るコンパチブルレコーダ１（＝記録再生装置）の内部構成を示すブロック図である。なお、図２における矢印線は画像／音声データの流れを示している。また、矢印のない直線は、制御部１１が各装置に対する制御信号等を送受信するための通信バスを示している。
【００３２】
コンパチブルレコーダ１は少なくとも、制御部１１、メモリ１２、操作部１３、ＨＤＤ１４（＝記録部）、ＶＣＲ（Video Cassette Recorder）１５、光ディスクドライブ１６、放送受信部１７、信号処理部１８、ＯＳＤ（On-Screen Display）処理部１９、及び外部接続端子２０（＝通信部）を含むように構成されている。なお外部接続端子２０により接続される表示装置として、ディスプレイ２が存在する。
【００３３】
制御部１１は、コンパチブルレコーダ１の各部材の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する録画処理部１１ａ〜代替録画部１１ｄ（図１）を備えている。
【００３４】
メモリ１２は、コンパチブルレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３５】
操作部１３は、ユーザがコンパチブルレコーダ１に対して、画像／音声の記録指示や予約録画指示等を行うためのものである。操作部１３は、例えばコンパチブルレコーダ１のハウジングに設けられた複数のボタンや、図示しないリモコン及びリモコン信号受信部等を含む。操作部１３はこれらの装置により、ユーザ操作を受け付ける。ユーザ操作が受け付けられると、制御部１１は、操作内容に基づいて再生処理や記録処理等を行う。
【００３６】
ＨＤＤ１４は、デジタルデータを記録する磁気記録媒体である。ＨＤＤ１４は、複数の磁気ディスクを回転させつつ、アクチュエータによりヘッドを移動させることにより、データの記録や読み出しを行う。本実施形態では主に、放送波に含まれる画像／音声データから生成される録画データ（＝再生情報）を記録するのに用いられる。またＨＤＤ１４は、後述するＶＣＲ１５より出力された画像／音声データを記録する、いわゆるダビング処理に用いられる。
【００３７】
ＶＣＲ１５は、ビデオカセットに対して画像／音声データの記録再生を行う記録再生機能部である。ＶＣＲ１５は、複数のマイコンやカセットスロットを含むように構成される。カセットスロットは、ビデオカセットを装着して、データの記録／再生が可能な状態とするための装置である。カセットスロットは、磁気テープの回転を行うローラーや、データを記録／再生するための磁気ヘッド等を備えている。
【００３８】
ＶＣＲ１５によって再生された画像／音声は、信号処理部１８に送られる。そして画像信号に変換され、ＯＳＤ処理部１９や外部接続端子２０等へ与えられる。或いは信号処理部１８によりデジタル信号に変換することにより、ＨＤＤ１４へ記録することも可能である。
【００３９】
光ディスクドライブ１６は、ＣＤ（Compact Disc）メディア、或いはＤＶＤ（Digital Versatile Disc）メディア等の光ディスクに対して光学的に各種データの読み取りを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００４０】
放送受信部１７は、外部のアンテナ（不図示）に接続されてデジタル／アナログ放送の選局、受信、周波数変換、増幅、復調等を行う。放送受信部１７は、アナログ方式であればアナログチューナ、中間周波増幅回路、復調回路、及び増幅回路等を含むように構成されている。またデジタル方式であれば、デジタルチューナ、及び誤り訂正部等を含むように構成されている。
【００４１】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。なお、ＴＳを変換せずＨＤＤ１４へ記録することも可能である。この場合、信号処理部１８はＴＳのスルーのみを行う。
【００４２】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００４３】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１４へ与えられる。またディスプレイ２等に出力する場合は、外部接続端子２０へ与えられる。
【００４４】
ＯＳＤ処理部１９は、画像信号を生成する機能部である。ＯＳＤ処理部１９は、コンパチブルレコーダ１が出力すべき情報をユーザが視認できる画像データに変換し、変換した画像データをディスプレイ２に表示するための画像信号を生成する。生成された画像信号は、外部接続端子２０より出力される。
【００４５】
外部接続端子２０は、例えばＨＤＭＩ（High Definition Multimedia Interface）端子やＵＳＢ（Universal Serial Bus）端子等を含む、複数の入出力端子からなるインタフェースである。外部接続端子２０はこれらの入出力端子を用いて、コンパチブルレコーダ１と外部の装置、例えばディスプレイ２を接続し、デジタル信号またアナログ信号の入出力を行う。
【００４６】
なお、アナログ信号を入力する場合は、不図示のＡ／Ｄコンバータ（Analog Digital Converter）を用いてアナログの画像データ及び音声データをデジタルデータに変換して入力することが可能である。
【００４７】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
〈１−２．機能部の構成について〉
【００４８】
ここで、本発明の第一の実施形態に係るコンパチブルレコーダ１が代替録画処理を実施するための各機能部の関係を、図１のブロック図を用いながら説明する。なお、図１における破線矢印線は、制御信号の流れを示している。
【００４９】
図１に示すように本発明の代替録画処理は、制御部１１が備える録画処理部１１（＝記録処理部）、ＥＰＧ取得部１１ｂ（＝番組情報取得部）、設定部１１ｃ、及び代替録画部１１ｄ（＝代替情報取得部）により実施される。
【００５０】
録画処理部１１ａは、ＨＤＤ１４を用いた画像／音声の記録再生処理を行う。また録画処理部１１ａは、後述する設定部１１ｃが受け付けた設定内容に基づき、予約録画処理やダビング処理等を行う。
【００５１】
例えば予約録画処理を行う場合、録画処理部１１ａは、設定部１１ｃが受け付けた予約録画時刻が到来した時点で、予約設定された放送番組を受信するよう放送受信部１７を制御する。そして放送波に含まれる画像／音声から、タイトルや録画日時等を含む管理情報を付加した録画データを生成し、ＨＤＤ１４に記録する。
【００５２】
ＥＰＧ取得部１１ｂは、信号処理部１８がＴＳより取得したＰＳＩ／ＳＩの解析を行うことにより、ＥＰＧを表示するためのＥＰＧ情報（＝番組情報）を取得する。具体的には、ＰＳＩ／ＳＩの一種であるＥＩＴ（Event Information Table）に含まれている番組名称、放送日時、放送内容等をＥＰＧ情報として取得する。そして取得したＥＰＧ情報を、ＨＤＤ１４に記録する。
【００５３】
設定部１１ｃは、録画処理部１１ａが録画処理やダビング処理を行うための各種設定を、操作部１３を介してユーザより受け付ける。設定部１１ｃは、録画処理部１１ａが録画処理を行うために必要な設定情報、例えば録画時刻や録画チャンネル、録画モード（＝録画時の画質）等の指定を、操作部１３を介して受け付ける。
【００５４】
また設定部１１ｃは、設定画面の表示制御を行う。なお設定画面は、ＯＳＤ処理部１９により生成し、外部接続端子２０を介してディスプレイ２等に出力することにより表示する。
【００５５】
設定画面には、代替録画処理のＯＮ／ＯＦＦに関する設定や、ＨＤＤ１４にダビングされている放送データ（＝再生情報）のタイトル入力等をユーザが行うための画像が含まれている。また設定画面には、代替録画処理が行われたアナログ放送データの消去を自動的に行うか否かに関する設定を受け付けるための画像が含まれている。
【００５６】
代替録画部１１ｄは、録画処理部１１ａにより録画処理が行われたアナログ放送データ（＝第一再生情報）のタイトル（＝文字情報、題名）を読み出し、このタイトルと同タイトルのデジタル放送データ（＝第二再生情報）を取得し、これをアナログ放送データの代替録画データとしてＨＤＤ１４に記録する処理（＝代替録画処理）を行う。代替録画部１１ｄが実施する代替録画処理の詳細について、次に説明する。
〈１−３．代替録画処理について〉
【００５７】
ここで、本発明の第一の実施形態に係るコンパチブルレコーダ１が実施する代替録画処理を、図３のフロー図を用いながら説明する。なお図３に示す処理は、コンパチブルレコーダ１が通電されている状態において、ＨＤＤ１４へのダビング指示を検知した時点で開始される。ダビング指示は例えば、ＶＣＲ１５にビデオカセットが装着されている状態において、操作部１３に含まれるダビング開始ボタン（不図示）が押下された場合等に発行される。
【００５８】
本処理の開始後、代替録画部１１ｄはステップＳ１１０において、予め設定部１１ｃにより受け付けられている設定内容を示す設定情報を、メモリ１２より読み出す。次に代替録画部１１ｄはステップＳ１２０において、代替録画機能がＯＮに設定されていることが、設定情報に示されているか否かを判定する。
【００５９】
代替録画機能がＯＮに設定されていない場合、代替録画部１１ｄはステップＳ１３１において、通常のダビング処理を行った後、本処理を終了する。なお通常のダビング処理とは、ＶＣＲ１５等より入力したアナログ放送データをデジタル変換してＨＤＤ１４に記録する処理であり、詳細については従来技術と同様であるため説明を省略する。
【００６０】
代替録画機能がＯＮに設定されている場合、代替録画部１１ｄはステップＳ１３０において、ＶＣＲ１５等より入力したアナログ放送データをデジタル変換してＨＤＤ１４に記録する。次に代替録画部１１ｄはステップＳ１４０において記録したアナログ放送データにタイトルが付加されているか否かを判定する。
【００６１】
タイトルが付加されていない場合、設定部１１ｃはステップＳ１５１において、所定の設定画面を出力することにより、操作部１３を用いてユーザよりタイトルの入力を受け付けるモードに移行する。そして所定時間内にタイトルの入力を検知した場合、ステップＳ１５０へ移行する。所定時間を超過してもタイトルの入力を検知しなかった場合、本処理を終了する。
【００６２】
次に代替録画部１１ｄはステップＳ１５０において、ステップＳ１３０で記録されたアナログ放送データとタイトルが一致する録画データが、ＨＤＤ１４に記録されているか否かを判定する。なおこの判定においては、タイトルに含まれる文字列の一部のみが一致することによりタイトルが一致するとみなす部分一致による判定方法と、タイトルに含まれる文字列の全てが一致することによりタイトルが一致するとみなす完全一致による判定方法とのいずれかを用いることができる。
【００６３】
いずれの判定方法を用いるかに関する指定は、予め設定部１１ｃによりユーザより受け付けておく。なお部分一致を用いる場合、一致したとみなすために必要とする一致文字数（または一致割合）を、設定部１１ｃにより受け付けてメモリ１２等に記録しておいてもよい。
【００６４】
タイトルが一致する録画データがＨＤＤ１４に記録されている場合、代替録画部１１ｄはステップＳ１６０において、代替録画データが記録されていることを通知するためのメッセージをＯＳＤ処理部１９により生成して出力する。
【００６５】
次に代替録画部１１ｄはステップＳ１７０において、上記の判定でタイトルが一致するとみなされたアナログ放送データ（以下、「元データ」という）に関して、代替録画処理後に消去する設定が有効になっているか否かを確認する。消去設定が有効に設定されている場合、代替録画部１１ｄはステップＳ１８０において、元データの消去を行った後、本処理を終了する。消去設定が無効に設定されている場合、元データの消去を行わず本処理を終了する。
【００６６】
ステップＳ１５０に戻って説明を行うと、タイトルが一致する録画データがＨＤＤ１４に記録されていない場合、代替録画部１１ｄはステップＳ１６１において、ＥＰＧ取得部１１ｂが取得するＥＰＧに、上記のアナログ放送データとタイトルが一致する放送番組が示されているか否かを判定する。なおこの一致判定も、部分一致及び完全一致の何れか一方を用いて行う。
【００６７】
タイトルが一致する放送番組が示されている場合、代替録画部１１ｄはステップＳ１７１において、タイトルが一致する放送番組の録画予約を行うよう、録画処理部１１ａに指示する。さらに代替録画部１１ｄはステップＳ１８１において、録画後の入れ替え実施フラグを設定した後、本処理を終了する。
【００６８】
入れ替え実施フラグが有効に設定されている状態において予約録画が完了した場合、代替録画部１１ｄは、ステップＳ１５０〜ステップＳ１８０と同様の処理を実施する。これにより、タイトルが一致するアナログ放送データの代替録画処理、及び元データの消去を行う。
【００６９】
ステップＳ１６１において、タイトルが一致する放送番組がＥＰＧに示されていない場合、代替録画部１１ｄはステップＳ１７２に移行し、ＥＰＧ監視フラグを有効に設定した後、本処理を終了する。ＥＰＧ監視フラグが有効に設定されている状態では、ＥＰＧ取得部１１ｂは所定時間毎にＥＰＧデータを取得し、ＥＰＧの更新処理を行う。
【００７０】
さらに代替録画部１１ｄはＥＰＧが更新される毎に、ＥＰＧに対する上記の判定、つまりタイトルが一致する放送番組の検索を行う。そして該当する放送番組が検知された場合に、この放送番組の録画予約を行うよう録画処理部１１ａに指示するとともに、上記の入れ替え実施フラグを有効に設定する。
【００７１】
以上に説明した本実施形態によれば、ＨＤＤ１４に記録されたアナログ放送データと同内容と推定されるデジタル放送データを、ユーザ操作を必要とすることなく、放送波より取得して記録する。このため、アナログ放送データを、同内容と推定される代替録画データ、つまりデジタル放送データに置き換えることが可能である。これによりユーザは、アナログ放送データをより高画質な代替録画データで視聴することが可能である。また代替録画データを手動で検索して録画予約する必要がないため、利便性が向上する。
[実施の形態２]
【００７２】
次に、本発明の第二の実施形態について説明する。
〈２−１．内部構成について〉
【００７３】
第一の実施形態と同じ構成であるため、説明を省略する。
〈２−２．機能部の構成について〉
【００７４】
第一の実施形態と同じ構成であるが、代替録画部１１ｄの機能が一部異なる。本実施形態の代替録画部１１ｄは、録画処理部１１ａにより録画処理が行われたデジタル放送データ（＝第一再生情報）のタイトルと、このデジタル放送データに付随している管理情報を取得する。そしてタイトルと管理情報とを用いて、同内容と推定されるデジタル放送データ（＝第二再生情報）をＥＰＧより検索する。
【００７５】
なおデジタル放送データの管理情報は、例えばデジタル放送データの録画時において、ＥＰＧ等より取得した情報に基づいて録画処理部１１ａが作成する。管理情報には例えば、デジタル放送データの放送局や出演者を示す番組情報、画像解像度、データサイズ、録画日時、録画時の録画モード等が示されている。
【００７６】
代替録画部１１ｄはこの管理情報を用いて、録画されたデジタル放送データと同内容と推定されるデジタル放送データを検索するとともに、検索の結果発見された代替録画データの取得の実施／未実施に関する決定を行う。本実施形態の代替録画部１１ｄが実施する代替録画処理の詳細について、次に説明する。
〈２−３．代替録画処理について〉
【００７７】
ここで、本発明の第二の実施形態に係るコンパチブルレコーダ１が実施する代替録画処理を、図４のフロー図を用いながら説明する。なお、第一の実施形態の図３と同内容の処理については、同じステップ番号を付加することにより説明を省略するものとする。
【００７８】
図４に示す処理は、コンパチブルレコーダ１が通電されている状態において、ＨＤＤ１４へのデジタル放送データのダビング指示を検知した時点で開始する。ダビング指示は例えば、光ディスクドライブ１６にＤＶＤが装着されている状態において、操作部１３に含まれるダビング開始ボタン（不図示）が押下された場合等に発行される。
【００７９】
ステップＳ１１０〜ステップＳ１２０については、実施の形態１と同内容である。ステップＳ１２０において代替録画機能がＯＮに設定されている場合、代替録画部１１ｄはステップＳ１３２において、光ディスクドライブ１６等より入力したデジタル放送データをＨＤＤ１４に記録する。
【００８０】
次に代替録画部１１ｄはステップＳ１４０において記録したアナログ放送データにタイトルが付加されているか否かを判定する。
【００８１】
タイトルが付加されていない場合、ステップＳ１５１に移行し、以降の処理を行う。タイトルが付加されている場合、ステップＳ１５０に移行する。ステップＳ１５０においてＨＤＤ１４に同一タイトルのデジタル放送データが複数あると判定された場合、代替録画部１１ｄはステップ１５２において、同一タイトルのデジタル放送データが所定条件を満たすか否かの判定を、上記の管理情報を用いて行う。
【００８２】
用いる条件としては例えば、録画日時がより新しいデジタル放送データ（以下、「最新データ」という）が、元データよりも解像度が高いことや、最新データが元データのリマスター版であることを示す情報が管理情報に含まれてこと等を、条件として用いる。所定条件を満たさない場合、本処理を終了する。所定条件を満たす場合、ステップＳ１６０以降の処理を実施する。
【００８３】
ステップＳ１５０においてＨＤＤ１４に同一タイトルのデジタル放送データがないと判定された場合、ステップＳ１６１に移行する。ステップＳ１６１においてＥＰＧに同一タイトルの番組があると判定された場合、代替録画部１１ｄはステップＳ１６２において、同一タイトルの番組が所定条件を満たすか否かの判定を行う。
【００８４】
この判定は例えば、録画済みのデジタル放送データの管理情報と、ＥＰＧに含まれる番組情報とを参照することにより行う。そしてＥＰＧに示されている番組が、録画済みデータよりも解像度が高いことや、録画済みデータのリマスター版であることを示す情報がＥＰＧに含まれてこと等を、条件として用いる。
【００８５】
所定条件を満たさない場合、ステップＳ１７２へ移行し、ＥＰＧ監視フラグを設定する。所定条件を満たす場合、ステップＳ１７１以降の処理を実施する。
【００８６】
以上に説明した本実施形態によれば、代替録画処理の対象とする再生情報としてアナログ放送データでなく、デジタル放送データを用いて代替録画処理を行っている。これにより、録画済みのデジタル放送データが比較的古く、解像度や品質が最新のものよりも劣る場合等において、より好適なデジタル放送データを放送波から取得してユーザに提供することができる。
【００８７】
またデジタル放送データであっても、録画時の受信状況によってはノイズが混入したり、録画処理に失敗したりする場合がある。このため、上記の代替録画処理によりユーザは、同内容と推定されるデジタル放送データを複数取得し、その中からより状態のよいデジタル放送データを取捨選択することが可能である。
【００８８】
また本実施形態によれば、録画データの管理情報とＥＰＧに示されている番組情報とを比較し、比較結果が所定条件を満たす場合にのみ、代替録画処理を実施している。これにより、録画データの品質向上が望める場合にのみ代替録画処理を実施するようにし、不要な代替録画処理が発生するのを回避することができる。
［その他の実施の形態］
【００８９】
以上、好ましい実施の形態及び実施例を挙げて本発明を説明したが、本発明は必ずしも上記実施の形態に限定されるものではなく、その技術的思想の範囲内において様々に変形して実施することができる。
【００９０】
従って本発明は、以下の形態にも適用可能である。
【００９１】
（Ａ）上記実施形態では、本発明の記録再生装置の一例としてコンパチブルレコーダ１を例に挙げているが、放送網または通信網に接続して再生情報を取得可能な記録再生装置であれば、これ以外の装置において本発明を実施する形態でもよい。例えば、ＤＶＤレコーダ、録画機能付きテレビジョン装置、ＳＴＢ（Set Top Box）等を用いる形態であってもよい。
【００９２】
（Ｂ）上記実施形態では、本発明の代替録が処理に関わる各機能部が、マイクロプロセッサ等の演算処理装置上でプログラムを実行することにより実現されているが、各機能部が複数の回路により実現される形態でもよい。
【００９３】
（Ｃ）上記実施形態では、コンパチブルレコーダ１が備える記録再生機能として、ＨＤＤレコーダ、ＤＶＤレコーダ、及びＶＣＲに相当する記録再生機能を例に説明を行っているが、これ以外の記録再生機能を備える形態でもよい。例えばＳＤ（Secure Digital）カード等の半導体メモリを用いて録画再生する記録再生機能や、ＢＤレコーダに相当する記録再生機能を備える形態でもよい。
【００９４】
（Ｄ）上記実施形態では、アナログ放送データまたはデジタル放送データを取得するための装置としてＶＣＲ１５及び光ディスクドライブ１６を例に説明を行っているが、これ以外の装置から放送データを取得する形態でもよい。例えば、外部接続端子２０を用いて、外部装置や広域通信網より取得する形態でもよい。
【００９５】
（Ｅ）上記実施形態では、代替録画処理が実施されたことや元データが消去されたことを報知する報知処理に関しては特に明記していないが、例えば代替録画処理が実施された後に電源が起動された段階で、ＯＳＤ処理部１９により所定の報知画像を生成して出力することにより、ユーザに報知を行う形態でもよい。また、代替録画処理の実行履歴を示す画像を、ＯＳＤ処理部１９により生成して出力する形態でもよい。
【００９６】
（Ｆ）上記実施形態では、代替録画データを検索する場合の一致判定に用いる文字情報としてタイトルを例に説明を行っているが、これ以外の文字情報を用いる形態でもよい。例えばタイトルに加えて、番組の出演者や制作年月日等を示す文字情報を用いて一致判定を行い、一致する代替録画データをＥＰＧに基づいて取得する形態でもよい。
【００９７】
（Ｇ）上記実施形態では、代替録画処理が完了した時点でＨＤＤ１４の元データを消去しているが、この他のタイミングで消去を実行する形態でもよい。例えば、代替録画処理により取得された新たなデジタル放送データの再生が完了した時点で、対応する元データの消去を実行するか否かの選択画面をＯＳＤ処理部１９により生成して出力し、設定部１１ｃによりユーザ指定を受け付ける形態でもよい。
【００９８】
（Ｈ）上記実施形態では、代替録画処理によって録画予約がなされた番組が有料放送である場合の処理については規定していないが、有料放送である場合に追加処理を実施する形態でもよい。例えば、有料放送であることが検知された時点で、料金を支払って代替録画処理を実行するか否かの選択画面をＯＳＤ処理部１９により生成して出力し、設定部１１ｃによりユーザ指定を受け付ける形態でもよい。
【符号の説明】
【００９９】
１      コンパチブルレコーダ（記録再生装置）
１１    制御部
１１ａ  録画処理部（記録処理部）
１１ｂ  ＥＰＧ取得部（番組情報取得部）
１１ｃ  設定部
１１ｄ  代替録画部（代替情報取得部）
１２    メモリ
１３    操作部
１４    ＨＤＤ（記録部）
１５    ＶＣＲ
１６    光ディスクドライブ
１７    放送受信部
１８    信号処理部
１９    ＯＳＤ処理部
２０    外部接続端子（通信部）
【図１】
2012044585.tif 000003
【図２】
2012044585.tif 000004
【図３】
2012044585.tif 000005
【図４】
2012044585.tif 000006